(57)【要約】      （修正有）【課題】自己に不具合が発生したことを検出するのに好適な非接触識別タグ及びその制御プログラム、並びに、不具合の発生した非接触識別タグを含む複数の非接触識別タグとのデータ通信に好適な非接触データ通信装置及びその制御プログラムを提供する。【解決手段】非接触データ通信システムは、非接触識別タグと、データ通信装置と、を含み、非接触識別タグがデータ通信装置の通信領域内に位置する構成とし、非接触識別タグ２を、第１のアンテナ２０と、第１の制御ＩＣ２１と、第２のアンテナ２２と、第２の制御ＩＣ２３と、表示部２４と、メモリ部２５とを含んだ構成とし、データ通信装置を、データ受信部と、データ送信部と、制御部と、データ記憶部と、を含んだ構成とした。【選択図】      図２
2004297345.tif 000002
【特許請求の範囲】
【請求項１】
第１のアンテナと、当該第１のアンテナによって受信された電磁波から駆動用の電力を生成する第１の駆動電力生成手段と、当該第１の駆動電力生成手段によって生成された電力により動作し、且つ、前記第１のアンテナによるデータ通信を制御する第１の通信制御手段と、第２のアンテナと、当該第２のアンテナによって受信された電磁波から駆動用の電力を生成する第２の駆動電力生成手段と、当該第２の駆動電力生成手段によって生成された電力により動作し、且つ、前記第２のアンテナによるデータ通信を制御する第２の通信制御手段と、を備えることを特徴とする非接触識別タグ。
【請求項２】
前記第２の通信制御手段は、前記第１のアンテナによるデータ通信が不能となったときに、前記第２のアンテナによるデータ通信を行うことを特徴とする請求項１記載の非接触識別タグ。
【請求項３】
表示部と、前記第１のアンテナによる通信が不能となったときに、当該通信が不能になったことを示す情報を前記表示部に表示する通信状態表示手段と、を備えることを特徴とする請求項１又は請求項２記載の非接触識別タグ。
【請求項４】
第２の駆動電力生成手段は、前記第２のアンテナによって特定周波数の電波を受信したときに動作することを特徴とする請求項１乃至請求項３のいずれか１項に記載の非接触識別タグ。
【請求項５】
前記第２の通信制御手段は、外部からの特定のコマンドに応じて動作することを特徴とする請求項１乃至請求項４のいずれか１項に記載の非接触識別タグ。
【請求項６】
請求項１乃至請求項５のいずれか１項に記載の非接触識別タグと、当該非接触識別タグとデータ通信可能なデータ通信装置と、を含む非接触データ通信システムであって、
前記データ通信装置は、正常応答の無い前記非接触識別タグの識別情報を記憶する識別情報記憶手段と、前記非接触識別タグに電力供給用の電磁波を送信する電力供給用電磁波送信手段と、を備え、
前記識別情報記憶手段によって前記識別情報の記憶された非接触識別タグとのデータ通信を行わないようにすることを特徴とする請求項５載の非接触データ通信システム。
【請求項７】
前記データ通信装置は、応答の無い非接触識別タグに対して特定のコマンド信号を送信する特定コマンド送信手段と、当該特定コマンド送信手段によって送信した前記特定のコマンド信号に対する前記非接触識別タグからの応答に基づき、前記正常応答か否かを判定する応答判定手段と、を備えることを特徴とする請求項６記載の非接触データ通信システム。
【請求項８】
請求項１記載の非接触識別タグを制御するためのプログラムであって、
前記第１のアンテナを介して外部とのデータ通信を行う第１の通信制御ステップと、前記第２のアンテナを介して外部とのデータ通信を行う第２の通信制御ステップと、を備えることを特徴とする非接触識別タグ制御プログラム。
【請求項９】
前記第２の通信制御ステップにおいては、前記第１のアンテナによるデータ通信が不能となったときに、前記第２のアンテナによるデータ通信を行うことを特徴とする請求項８記載の非接触識別タグ制御プログラム。
【請求項１０】
前記第１のアンテナによる通信が不能となったときに、当該通信が不能になったことを示す情報を前記表示部に表示する通信状態表示ステップを備えることを特徴とする請求項８又は請求項９記載の非接触識別タグ制御プログラム。
【請求項１１】
前記第２の通信制御ステップは、外部からの特定のコマンドに応じて実行することを特徴とする請求項８乃至請求項１０のいずれか１項に記載の非接触識別タグ制御プログラム。
【請求項１２】
請求項５記載の非接触データ通信システムに適用可能なデータ通信装置であって、
正常応答の無い前記非接触識別タグの識別情報を記憶する識別情報記憶手段と、前記非接触識別タグに電力供給用の電磁波を送信する電力供給用電磁波送信手段と、を備え、
前記識別情報記憶手段によって前記識別情報の記憶された非接触識別タグとのデータ通信を行わないようにすることを特徴とするデータ通信装置。
【請求項１３】
応答の無い非接触識別タグに対して特定のコマンド信号を送信する特定コマンド送信手段と、当該特定コマンド送信手段によって送信した前記特定のコマンド信号に対する前記非接触識別タグからの応答に基づき、前記正常応答か否かを判定する応答判定手段と、を備えることを特徴とする請求項１２記載のデータ通信装置。
【請求項１４】
請求項１２記載のデータ通信装置を制御するためのプログラムであって、
正常応答の無い前記非接触識別タグの識別情報を記憶する識別情報記憶ステップと、前記非接触識別タグに電力供給用の電磁波を送信する電力供給用電磁波送信ステップと、を備え、
前記識別情報記憶ステップにおいて前記識別情報の記憶された非接触識別タグとのデータ通信を行わないようにすることを特徴とするデータ通信装置制御プログラム。
【請求項１５】
前記データ通信装置は、応答の無い非接触識別タグに対して特定のコマンド信号を送信する特定コマンド送信ステップと、当該特定コマンド送信ステップにおいて送信した前記特定のコマンド信号に対する前記非接触識別タグからの応答に基づき、前記正常応答か否かを判定する応答判定ステップと、を備えることを特徴とする請求項１４記載のデータ通信装置制御プログラム。
【発明の詳細な説明】
【０００１】
【発明の属する技術分野】
本発明は、非接触識別タグ及び当該非接触識別タグを利用したデータ通信に係り、特に、複数の非接触識別タグの中から不具合が発生したものを検出するのに好適な非接触識別タグ、及び、不具合の発生した非接触識別タグを含む複数の非接触識別タグとのデータ通信に好適な非接触データ通信システムに関する。
【０００２】
【従来の技術】
従来、質問器と複数の応答器との間で確実な通信動作を行うためのシステムの発明が成されている（特許文献１参照）。このシステムにおいて、質問器は、通信開始要求信号を発生する手段と通信開始要求信号にタイムスロットで受信した応答器からの応答要求信号から通信可能な応答器を選定する交信判定部とを備えている。そして、質問器が第１の通信開始要求信号を送信し、交信判定部が１つの応答器からの応答要求信号を受信したときは当該応答器と交信し、交信判定部が複数の応答器から応答要求信号を受信したときは第２の通信開始要求信号を送信すると共に、複数のタイムスロット群で応答器からの応答要求信号を受信し、通信可能な応答器を選定する。つまり、交信領域内の応答器の数に応じてタイムスロット数を可変にすることで、複数の応答器との通信が確実に行われるようにしている。
【０００３】
また、非接触ＩＣカードへの所定回数の送信信号に対して、当該非接触ＩＣカードから応答信号を受信できなかった場合、または、エラー応答信号を受信した場合に、電磁波送出制御手段によって電磁波の送出を停止する非接触ＩＣカードリーダ・ライタの発明も成されている（特許文献２参照）。
【０００４】
【特許文献１】
特開２０００−２０９１２１
【特許文献２】
特開２００１−２９７３０９
【０００５】
【発明が解決しようとする課題】
しかしながら、上記特許文献１の発明においては、応答器からの応答が無かったときに、どの応答器から応答が無かったかを正確に知る術がない。
また、上記特許文献２の発明においては、正常応答信号が返ってくるまで所定時間待機している場合、故障している非接触ＩＣカードが多数ある場合に、待ち時間が増加し、その結果、処理時間が増加してしまう。また、システムにおいて、同じ外観の非接触ＩＣカードが用いられている場合に、複数の非接触ＩＣカードのうちどのカードが故障しているのかを目視で確認できないため、目的の非接触ＩＣカードを見つけ出すのが困難となる。
【０００６】
そこで、本発明は、このような従来の技術の有する未解決の課題に着目してなされたものであって、自己に不具合が発生したことを検出するのに好適な非接触識別タグ及びその制御プログラム、並びに、不具合の発生した非接触識別タグを含む複数の非接触識別タグとのデータ通信に好適な非接触データ通信システム、当該システムにおける、データ通信装置及びその制御プログラムを提供することを目的としている。
【０００７】
【課題を解決するための手段】
上記目的を達成するために、本発明に係る非接触識別タグは、第１のアンテナと、当該第１のアンテナによって受信された電磁波から駆動用の電力を生成する第１の駆動電力生成手段と、当該第１の駆動電力生成手段によって生成された電力により動作し、且つ、前記第１のアンテナによるデータ通信を制御する第１の通信制御手段と、第２のアンテナと、当該第２のアンテナによって受信された電磁波から駆動用の電力を生成する第２の駆動電力生成手段と、当該第２の駆動電力生成手段によって生成された電力により動作し、且つ、前記第２のアンテナによるデータ通信を制御する第２の通信制御手段と、を備えることを特徴としている。
【０００８】
このような構成であれば、第１の発明は、第１の駆動電力生成手段によって、第１のアンテナによって受信された電磁波から駆動用の電力を生成することが可能であり、第１の駆動電力生成手段によって生成された電力により動作する第１の通信制御手段によって、前記第１のアンテナによるデータ通信を制御することが可能であり、第２の駆動電力生成手段によって、第２のアンテナによって受信された電磁波から駆動用の電力を生成することが可能であり、第２の駆動電力生成手段によって生成された電力により動作する第２の通信制御手段によって、前記第２のアンテナによるデータ通信を制御することが可能である。
【０００９】
従って、第１のアンテナ、第１の駆動電力生成手段及び第１の通信制御手段による通信と、第２のアンテナ、第２の駆動電力生成手段及び第１の通信制御手段による通信と、により別々の通信を同時に行ったり、通信内容に応じて両者を使い分けることなどが可能となる。
ここで、非接触識別タグとは、ＲＦＩＤ（Ｒａｄｉｏ  Ｆｒｅｑｕｅｎｃｙ  ＩＤｅｎｔｉｆｉｃａｔｉｏｎ）システムにおいて用いられるもので、一般にデータキャリアなどとも呼ばれている。その形状には、ラベル型、カード型、コイン型、スティック型等の様々なものがある。これらの形状はアプリケーションと密接な関係があり、例えば、人が持つものは、カード形あるいはラベル形をキーホルダ形状に加工したものがある。また、半導体のキャリアＩＤとしてはスティック形が主流となっている。なお、リネン関連の服に縫い込まれるものはコイン形が主流となっている。
【００１０】
また、非接触識別タグは、データ読取専用、あるいは、データの読み書きが自由に行える記憶領域を備えており、更に、アンテナ側からの非接触電力伝送により電池が無くても動作可能なものがある。
また、ＲＦＩＤシステムとは、媒体に電波・電磁波を用いたＩＤシステムであり、非接触識別タグが、（１）  携帯容易な大きさであること、（２）  情報を電子回路に記憶すること、（３）  非接触通信により交信することの３つの特徴を備えている。
【００１１】
従って、ＲＦＩＤシステムは、非接触識別タグを持つ人・物・車などと、その情報とを一元化させる目的で使用される。つまり、人・物・車がある場所で随時、必要な情報を取り出すことができ、かつ必要に応じて新たな情報を書き込むことができる。
また、ＲＦＩＤシステムの代表的な種類としては、主に、交流磁界によるコイルの相互誘導を利用して非接触識別タグとの交信を行なう電磁結合方式、  主に、２５０ｋＨｚ以下、あるいは、１３．５６ＭＨｚ帯の長・中波帯の電磁波を利用して非接触識別タグとの交信を行なう電磁誘導方式、リーダ／ライタ側のアンテナと非接触識別タグ間で、２．４５ＧＨｚ帯のマイクロ波によりデータ交信を行なうマイクロ波方式、光の発生源としてＬＥＤを、受光器としてはフォトトランジスタ等を配置し、光の空間伝送を利用して非接触識別タグとの交信を行なう光方式の４つがある。
【００１２】
また、アクセス方式は、主に、シングルアクセスモード、ＦＩＦＯ（Ｆｉｒｓｔ  Ｉｎ  Ｆｉｒｓｔ  Ｏｕｔ）アクセスモード、マルチアクセスモード、セレクティブアクセスモードの４つがある。
シングルアクセスモードは、アンテナ交信領域内に存在する非接触識別タグは１個であり、複数の非接触識別タグがアンテナの交信領域内にあると交信エラーとなり、交信できなくなる。
【００１３】
ＦＩＦＯアクセスモードは、アンテナの交信領域内に順番に入ってくる非接触識別タグと順番に交信することができる。交信を終了した非接触識別タグにはアクセス禁止処理を行なうので、交信終了したタグがアンテナの交信領域内に複数存在しても、新たなタグが１個だけアンテナの交信領域内に入ってくれば交信ができる。同時に非接触識別タグが交信領域内にはいると、交信エラーとなり交信できなくなる。アクセス禁止された非接触識別タグは、交信領域外にでると再び交信が可能となる。
【００１４】
マルチアクセスモードは、アンテナの交信領域内に複数の非接触識別タグが存在しても、全ての非接触識別タグと交信ができる。
セレクティブアクセスモードは、交信領域内にある複数の非接触識別タグのうち、特定の非接触識別タグと交信ができるもので、交信領域内の非接触識別タグに番号を割り当てるコマンドと、割り当てた番号をもとに、特定の非接触識別タグとの交信を行なうコマンドで実現される。
【００１５】
また、第２の発明は、第１の発明において、前記第２の通信制御手段は、前記第１のアンテナによるデータ通信が不能となったときに、前記第２のアンテナによるデータ通信を行うことを特徴としている。
つまり、前記第２の通信制御手段は、第１のアンテナによるデータ通信が不能となったときに、前記第２のアンテナによるデータ通信を行うことが可能である。
【００１６】
従って、第１のアンテナ、第１の駆動電力生成手段及び第１の通信制御手段のいずれか１つが故障してデータ通信が行えなくなっても、第２のアンテナ、第２の駆動電力生成手段及び第１の通信制御手段によって通信を行うので、外部からのアクセスに対して故障していることを通知したり、完全に代替して通信を行ったりすることが可能となる。
【００１７】
また、第３の発明は、第１又は第２の発明において、表示部と、前記第１のアンテナによる通信が不能となったときに、当該通信が不能になったことを示す情報を前記表示部に表示する通信状態表示手段と、を備えることを特徴としている。
つまり、表示部を備え、通信状態表示手段によって、前記第１のアンテナによる通信が不能となったときに、当該通信が不能になったことを示す情報を前記表示部に表示することが可能である。
【００１８】
従って、表示部を見るだけで、非接触識別タグの状態が解るので、同じ形をした複数の非接触識別タグの中から通信不能になったものを見つけ出し易くなる。また、第４の発明は、第１乃至第３のいずれか１の発明において、第２の駆動電力生成手段は、前記第２のアンテナによって特定周波数の電波を受信したときに動作することを特徴としている。
【００１９】
つまり、第２の駆動電力生成手段は、前記第２のアンテナによって特定周波数の電波を受信したときに動作することが可能である。
従って、通常の通信時に用いられる周波数の電波と異なる特定の周波数に対して動作させることが可能なので、重複動作等の誤動作を防ぐことができ、更に、第１のアンテナによる通信と、第２のアンテナによる通信を周波数によって使い分けすることが可能となる。
【００２０】
また、第５の発明は、第１乃至第４のいずれか１の発明において、前記第２の通信制御手段は、外部からの特定のコマンドに応じて動作することを特徴としている。
つまり、第２の通信制御手段は、外部からの特定のコマンドに応じて動作することが可能である。
【００２１】
従って、特定コマンドを受信しない限りは動作しないので、誤動作等を防ぐことが可能である。
また、第６の発明は、第１乃至第５のいずれか１の発明に記載の非接触識別タグと、当該非接触識別タグとデータ通信可能なデータ通信装置と、を含む非接触データ通信システムであって、
前記データ通信装置は、正常応答の無い前記非接触識別タグの識別情報を記憶する識別情報記憶手段と、前記非接触識別タグに電力供給用の電磁波を送信する電力供給用電磁波送信手段と、を備え、
前記識別情報記憶手段によって前記識別情報の記憶された非接触識別タグとのデータ通信を行わないようにすることを特徴としている。
【００２２】
このような構成であれば、前記データ通信装置は、識別情報記憶手段によって、正常応答の無い前記非接触識別タグの識別情報を記憶することが可能であり、更に、当該識別情報記憶手段によって前記識別情報の記憶された非接触識別タグとのデータ通信を行わないようにすることが可能である。
従って、識別情報記憶手段によって識別情報の記憶された非接触識別タグとの通信を行わずに、システム内の正常通信可能な非接触識別タグのみと通信を行うことが可能となるので、正常通信できない非接触識別タグからの応答待ち時間等を省くことができ、結果として処理時間の短縮が可能となる。
【００２３】
また、第７の発明は、第６の発明において、前記データ通信装置は、応答の無い非接触識別タグに対して特定のコマンド信号を送信する特定コマンド送信手段と、当該特定コマンド送信手段によって送信した前記特定のコマンド信号に対する前記非接触識別タグからの応答に基づき、前記正常応答か否かを判定する応答判定手段と、を備えることを特徴としている。
【００２４】
つまり、特定コマンド送信手段によって、応答の無い非接触識別タグに対して特定のコマンド信号を送信することが可能であり、応答判定手段によって、特定コマンド送信手段によって送信した前記特定のコマンド信号に対する前記非接触識別タグからの応答に基づき、前記正常応答か否かを判定することが可能である。
【００２５】
従って、特定コマンドに対する応答から、容易に非接触識別タグが故障しているか否かを知ることが可能である。
また、第８の発明は、請求項１記載の非接触識別タグを制御するためのプログラムであって、
前記第１のアンテナを介して外部とのデータ通信を行う第１の通信制御ステップと、前記第２のアンテナを介して外部とのデータ通信を行う第２の通信制御ステップと、を備えることを特徴としている。
【００２６】
ここで、本発明は、第１の発明を制御するためのプログラムであり、その効果は重複するので記載を省略する。
また、第９の発明は、第８の発明において、前記第２の通信制御ステップにおいては、前記第１のアンテナによるデータ通信が不能となったときに、前記第２のアンテナによるデータ通信を行うことを特徴としている。
【００２７】
ここで、本発明は、第２の発明を制御するためのプログラムであり、その効果は重複するので記載を省略する。
また、第１０の発明は、第８又は第９の発明において、前記第１のアンテナによる通信が不能となったときに、当該通信が不能になったことを示す情報を前記表示部に表示する通信状態表示ステップを備えることを特徴としている。
【００２８】
ここで、本発明は、第４の発明を制御するためのプログラムであり、その効果は重複するので記載を省略する。
また、第１１の発明は、第８乃至第１０のいずれか１の発明において、前記第２の通信制御ステップは、外部からの特定のコマンドに応じて実行することを特徴としている。
【００２９】
ここで、本発明は、第５の発明を制御するためのプログラムであり、その効果は重複するので記載を省略する。
また、第１２の発明は、第５の発明に適用可能なデータ通信装置であって、
正常応答の無い前記非接触識別タグの識別情報を記憶する識別情報記憶手段を備え、
前記識別情報記憶手段によって前記識別情報の記憶された非接触識別タグとのデータ通信を行わないようにすることを特徴としている。
【００３０】
ここで、本発明は、第５の発明に適用可能なデータ通信装置であり、その作用効果は重複するので記載を省略する。
また、第１３の発明は、第１２の発明において、応答の無い非接触識別タグに対して特定のコマンド信号を送信する特定コマンド送信手段と、当該特定コマンド送信手段によって送信した前記特定のコマンド信号に対する前記非接触識別タグからの応答に基づき、前記正常応答か否かを判定する応答判定手段と、を備えることを特徴としている。
【００３１】
ここで、本発明は、第６の発明に適用可能なデータ通信装置であり、その作用効果は重複するので記載を省略する。
また、第１４の発明は、第１２の発明を制御するためのプログラムであって、正常応答の無い前記非接触識別タグの識別情報を記憶する識別情報記憶ステップを備え、
正常応答の無い前記非接触識別タグの識別情報を記憶する識別情報記憶ステップと、前記非接触識別タグに電力供給用の電磁波を送信する電力供給用電磁波送信ステップと、を備え、
前記識別情報記憶ステップにおいて前記識別情報の記憶された非接触識別タグとのデータ通信を行わないようにすることを特徴としている。
【００３２】
ここで、本発明は、第１２の発明を制御するためのプログラムであり、その効果は重複するので記載を省略する。
また、第１５の発明は、第１４の発明において、前記データ通信装置は、応答の無い非接触識別タグに対して特定のコマンド信号を送信する特定コマンド送信ステップと、当該特定コマンド送信ステップにおいて送信した前記特定のコマンド信号に対する前記非接触識別タグからの応答に基づき、前記正常応答か否かを判定する応答判定ステップと、を備えることを特徴としている。
【００３３】
ここで、本発明は、第１３の発明を制御するためのプログラムであり、その効果は重複するので記載を省略する。
【００３４】
【発明の実施の形態】
以下、本発明の実施の形態を図面に基づいて説明する。図１乃至図７は、本発明に係る非接触データ通信システムの実施の形態を示す図である。
まず、本発明に係る非接触データ通信システムの構成を図１に基づいて説明する。図１は、本発明に係る非接触データ通信システムの構成を示す図である。
【００３５】
非接触データ通信システム１は、非接触識別タグ２ａ〜２ｆと、データ通信装置３と、を含み、非接触識別タグ２ａ〜２ｆがデータ通信装置３の通信領域４内に位置する構成となっている。
非接触識別タグ２ａ〜２ｆは、電磁誘導方式によって、２５０ｋＨｚ以下、あるいは、１３．５６ＭＨｚ帯の電磁波を利用してデータ通信装置３との交信を行なうことが可能なもので、それぞれが固有の識別情報を有しており、且つ、カード形状を有したものである。
【００３６】
データ通信装置３は、電磁誘導方式によって、２５０ｋＨｚ以下、あるいは、１３．５６ＭＨｚ帯の電磁波を利用して非接触識別タグ２ａ〜２ｆとの交信を行なうことが可能なもので、非接触識別タグ２ａ〜２ｆに所定コマンドを送信することで、当該非接触識別タグ２ａ〜２ｆのメモリ部にデータを書込ませたり、あるいは、非接触識別タグ２ａ〜２ｆのメモリ部に記憶された所定データを送信させたりすることが可能である。
【００３７】
通信領域４は、データ通信装置３が非接触識別タグと交信可能な範囲領域である。
更に、図２及び図３に基づき、非接触識別タグ２ａ〜２ｆの詳細な構成を説明する。図２は、非接触識別タグの回路構成図であり、図３は、非接触識別タグの詳細構成を示すブロック図である。ここで、非接触識別タグ２ａ〜２ｆは、それぞれ同様の構成をしているので、これらをまとめて、非接触識別タグ２として説明する。
【００３８】
図２に示すように、非接触識別タグ２の回路構成は、第１のアンテナ２０及び第２のアンテナ２２がカード形状の基材２００上にパターンとして形成され、更に、基材２００上に、第１の制御ＩＣ２１と、第２の制御ＩＣ２３と、表示部２４と、メモリ部２５と、が実装された構成となっている。
そして、第１のアンテナ２０と第１の制御ＩＣ２１とが基材２００上に形成された配線パターンを介して接続され、第２のアンテナ２２と第２の制御ＩＣ２３とが基材２００上に形成された配線パターンを介して接続され、第１の制御ＩＣ２１及び第２の制御ＩＣ２３と表示部２４とが基材２００上に形成された配線パターンを介して接続され、第１の制御ＩＣ２１及び第２の制御ＩＣ２３とメモリ部２５とが基材２００上に形成された配線パターンを介して接続されている。
【００３９】
ここで、基材２００としては、ガラス繊維、ポリアミド繊維などの無機または有機繊維からなる織布、不織布があり、更に、ポリアミド系樹脂基材、ポリイミド系樹脂基材、ポリスチレン系樹脂基材、ポリエチレン系樹脂基材などのプラスチック基材、あるいは、これらにプラズマ処理等の表面処理を施したものが用いられる。
【００４０】
更に、図３に示すように、非接触識別タグ２は、上記図２でも説明したように、第１のアンテナ２０と、第１の制御ＩＣ２１と、第２のアンテナ２２と、第２の制御ＩＣ２３と、表示部２４と、メモリ部２５と、を含んだ構成となっている。
第１のアンテナ２０は、上記した基材２００上に形成されるもので、金属インクを用いたインクジェット方式により形成される。本実施の形態では、図２に示すように、基材の外周に沿ってループ形状に形成される。ここで、第１のアンテナ２０は、１３．５６ＭＨｚ帯の電磁波を送受信することが可能なものである。
【００４１】
第１の制御ＩＣ２１は、第１のデータ受信部２１ａと、第１のデータ送信部２１ｂと、第１のデータ制御部２１ｃと、第１の電力生成部２１ｄと、を含んだ構成となっている。ここで、第１の制御ＩＣ２１は、図示しないＣＰＵ（Ｃｅｎｔｒａｌ  Ｐｒｏｃｅｓｓｉｎｇ  Ｕｎｉｔ）を備えており、前記各部に対応する制御プログラムを実行することによって、各部の動作を制御するものである。なお、本実施の形態においては、ＣＰＵ及び制御プログラムにより各部の動作を制御する構成としているが、これに限らず、これらの動作をロジック回路により制御する構成としても良い。
【００４２】
第１のデータ受信部２１ａは、データ通信装置３から１３．５６ＭＨｚ帯の電磁波を利用して送信されたデータを、第１のアンテナ２０を介して電磁誘導方式により受信する機能を備えるものである。
第１のデータ送信部２１ｂは、メモリ部２５に記憶された所定データを、第１のアンテナ２０を介して電磁誘導方式によって、１３．５６ＭＨｚ帯の電磁波を利用してデータ通信装置３に送信する機能を備えるものである。
【００４３】
第１のデータ制御部２１ｃは、第１のアンテナ２０を介した第１のデータ受信部２１ａによるデータの受信処理と、第１のアンテナ２０を介した第１のデータ送信部２１ｂによるデータの送信処理と、を制御し、且つ、受信データ（主にデータ通信装置３からのコマンド）を解析して、メモリ部２５に記憶された対応するデータを読み出して送信したり、表示部２４に表示したりする処理を制御する。
【００４４】
第１の電力生成部２１ｄは、データ通信装置３から第１のアンテナ２０を介して受信したデータ信号の搬送波から、非接触識別タグ２における、第１の制御ＩＣ２１の各部、表示部２４及びメモリ部２５を駆動するための電力を生成し、これら各部に供給するものである。
第２のアンテナ２２は、上記した基材２００上に形成されるもので、金属インクを用いたインクジェット方式により形成される。本実施の形態では、図２に示すように、第１のアンテナ２０の内側に、当該第１のアンテナ２０よりも小さいループ形状に形成されたものである。ここで、第２のアンテナ２２は、２５０ｋＨｚ以下の周波数帯の電磁波を送受信することが可能なものである。
【００４５】
第２の制御ＩＣ２３は、第２のデータ受信部２３ａと、第２のデータ送信部２３ｂと、第２のデータ制御部２３ｃと、第２の電力生成部２３ｄと、を含んだ構成となっている。ここで、第２の制御ＩＣ２３は、図示しないＣＰＵを備えており、前記各部に対応する制御プログラムを実行することによって、各部の動作を制御するものである。なお、本実施の形態においては、ＣＰＵ及び制御プログラムにより各部の動作を制御する構成としているが、これに限らず、これらの動作をロジック回路により制御する構成としても良い。
【００４６】
第２のデータ受信部２３ａは、データ通信装置３から２５０ｋＨｚ以下の周波数帯の電磁波を利用して送信されたデータを、第１のアンテナ２０を介して電磁誘導方式により受信する機能を備えるものである。
第２のデータ送信部２３ｂは、メモリ部２５に記憶された所定データを、第１のアンテナ２０を介して電磁誘導方式によって、２５０ｋＨｚ以下の周波数帯の電磁波を利用してデータ通信装置３に送信する機能を備えるものである。
【００４７】
第２のデータ制御部２３ｃは、第２のアンテナ２２を介した第２のデータ受信部２３ａによるデータの受信処理と、第２のアンテナ２２を介した第２のデータ送信部２３ｂによるデータの送信処理と、を制御し、且つ、受信データ（主にデータ通信装置３からのサブコマンド）を解析して、メモリ部２５に記憶された対応するデータを読み出して送信したり、表示部２４に表示したりする処理を制御する。ここで、本実施の形態においては、第２のデータ制御部２３ｃは、データ通信装置３から送信される第２の制御ＩＣ２３用のサブコマンドにのみ応じて動作する。
【００４８】
第２の電力生成部２３ｄは、データ通信装置３から第２のアンテナ２２を介して受信したデータ信号の搬送波から、非接触識別タグ２における、第２の制御ＩＣ２３、表示部２４及びメモリ部２５を駆動するための電力を生成し、これら各部に供給するものである。
表示部２４は、電気泳動現象を利用した表示装置である。ここで、電気泳動現象とは、液相分散媒中に微粒子を分散させた分散液に電界を印加したときに、分散によって自然に帯電した粒子（電気泳動粒子）がクーロン力により泳動する現象である。この電気泳動式表示装置は、表示画像保持性能（以下、「メモリー性」と称する。）を有しており、電解の印加により一度表示された画像を保持することが可能である。
【００４９】
メモリ部２５は、フラッシュメモリ等の不揮発性の半導体メモリであり、一度記憶した情報を電力の供給無しに保持するものである。なお、メモリ部２５の保護領域（データ書換え不可能な領域）には、それぞれの非接触識別タグ２毎に固有の識別情報等、動作に必要なデータが記憶されている。
更に、図４に基づき、データ通信装置３の詳細構成を説明する。図４は、データ通信装置３の構成を示すブロック図である。
【００５０】
図４に示すように、データ通信装置３は、データ受信部３ａと、データ送信部３ｂと、制御部３ｃと、データ記憶部３ｄと、を含んだ構成となっている。
データ受信部３ａは、非接触識別タグ２から、２５０ｋＨｚ以下の周波数帯又は１３．５６ＭＨｚ帯の電磁波を利用して送信されたデータを、アンテナ３ｅを介して電磁誘導方式によって受信する機能を有したものである。
【００５１】
データ送信部３ｂは、コマンド信号等の所定のデータを、アンテナ３ｅを介して電磁誘導方式によって、２５０ｋＨｚ以下の周波数帯又は１３．５６ＭＨｚ帯の電磁波を利用して非接触識別タグ２に送信する機能を有したものである。
制御部３ｃは、図示しないＣＰＵにより、データ記憶部３ｄに記憶された制御プログラムを実行することにより、データ通信装置３の各部の動作を統括制御するものである。その制御内容としては、まず、非接触識別タグ２からのデータの受信や、非接触識別タグ２へのデータの送信などの、データ受信部３ａ及びデータ送信部３ｂを用いた電磁誘導方式によるデータ通信処理の制御がある。更に、応答の無い非接触識別タグ２に対してサブコマンド信号を送信する処理の制御がある。更に、サブコマンドに対してエラー応答等の正常応答以外の反応をする非接触識別タグ２の識別情報をデータ記憶部３ｄに記憶する処理の制御がある。更に、データ記憶部３ｄの記憶内容に基いた非接触識別タグ２との前記データ通信処理の制御がある。
【００５２】
データ記憶部３ｄは、制御部３ｃによって送信されたサブコマンド信号に対する非接触識別タグ２の応答内容（応答無し含む）に応じて、該当する非接触識別タグ２の識別情報を記憶するものである。
アンテナ３ｅは、２５０ｋＨｚ以下の周波数帯又は１３．５６ＭＨｚ帯の電磁波を送受信することが可能なハイブリッドアンテナである。
【００５３】
更に、非接触データ通信システム１のより具体的な動作を説明する。ここで、本実施の形態において、データ通信装置３は、図示しない情報処理装置からの命令に応じて、特定の非接触識別タグ２との間でデータ通信を行うものとする。
電源が投入されると、データ通信装置３は、まず、制御部２ｃの制御により、通信領域４内の非接触識別タグ２に対して、応答要求コマンド信号を、データ送信部３ｂ及びアンテナ３ｅを介して１３．５６ＭＨｚ帯の電磁波を利用して送信する（ここでは、通信領域４内の非接触識別タグ２に対して無差別に送信する）。ここで、本実施の形態において、応答要求コマンド信号の送信処理は、所定時間毎（例えば、３０秒毎）に所定回数（例えば３回）繰り返し行う。この応答要求コマンド信号の繰り返し送信処理は、１回のコマンド送信に対する応答の有無のみで、非接触識別タグ２が特に故障している訳でも無いのにも関わらず、それを故障と判断するのを回避するために行うものである。
【００５４】
一方、通信領域４内に存在する非接触識別タグ２は、上記した応答要求コマンド信号を第１のアンテナ２０を介して受信すると、まず、第１の電力生成部２１ｄにおいて、この応答要求コマンド信号の搬送波から電力を生成し、第１の制御ＩＣの各部、表示部２４及びメモリ部２５に供給する。これにより、第１のデータ受信部２１ａは受信した応答要求コマンド信号を復調して応答要求コマンドを抽出し、第１のデータ制御部２１ｃに伝送する。第１のデータ制御部２１ｃは、取得した応答要求コマンドを解析してこのコマンドが応答要求コマンドであることを確認すると、メモリ部２５から当該非接触識別タグ２の識別情報を読み出し、この情報を含む応答を生成する。そして、この生成された応答を、第１のデータ送信部２１ｂ及び第１のアンテナ２０を介して１３．５６ＭＨｚ帯の電磁波を利用して応答要求コマンド信号の送信元であるデータ通信装置３に送信する。ここで、本実施の形態において、非接触識別タグ２は、この応答の送信処理を正常に行えたときに、専用のレジスタ（ここでは、メモリ部２５の所定アドレスにある）にフラグとして１を書込む。
【００５５】
更に、データ通信装置３は、非接触識別タグ２からの応答要求コマンドに対する応答を、アンテナ３ｅ及びデータ受信部３ａを介して受信すると、これを制御部３ｃにおいて解析する。この解析結果により、データ通信装置３は、通信領域４内に存在する非接触識別タグ２の識別情報を知ることができる。ここで、この識別情報は、データ記憶部３ｄに記憶される。
【００５６】
更に、データ通信装置３は、応答要求コマンド信号の送信処理を完了すると、制御部３ｃによって、サブコマンドである状態要求コマンド信号を、通信領域４内の非接触識別タグ２に対して、データ送信部３ｂ及びアンテナ３ｅを介して２５０ｋＨｚ以下の周波数帯の電磁波を利用して送信する（ここでは、通信領域４内の非接触識別タグ２に対して無差別に送信する）。なお、この状態要求コマンド信号の送信処理も上記した応答要求コマンド信号の送信処理と同様に所定回数、繰り返し行うようにしても良い。
【００５７】
通信領域４内に存在する非接触識別タグ２は、上記した状態要求コマンド信号を第２のアンテナ２２を介して受信すると、まず、第２の電力生成部２３ｄにおいて、この状態要求コマンド信号の搬送波から電力を生成し、第２の制御ＩＣの各部、表示部２４及びメモリ部２５に供給する。これにより、第２のデータ受信部２３ａは受信した状態要求コマンド信号を復調して状態要求コマンドを抽出し、第２のデータ制御部２３ｃに伝送する。第２のデータ制御部２３ｃは、取得した状態要求コマンドを解析してこのコマンドが状態要求コマンドであることを確認すると、まず専用レジスタにフラグとして１が書込まれているか否かを判定する。この判定により、１が書込まれている場合は、このフラグをクリア（１を０に書替える）して処理を終了する。つまり、専用レジスタに１が書込まれている場合は、この非接触識別タグ２は、応答要求コマンド信号に対して正常な応答を返すことができており、故障等が無いことになる。従って、本実施の形態においては、専用レジスタに１が書込まれている場合は、状態要求コマンドに対する応答をせずに処理を終了する。なお、これに限らず、専用レジスタに１が書込まれている場合でも応答を返す仕様にしても構わない。
【００５８】
一方、専用レジスタに１が書込まれていない場合は、この非接触識別タグ２は、応答要求コマンド信号に対して正常な応答を返すことができておらず、何らかの故障が生じていることになる。従って、この場合は、第２のデータ制御部２３ｃによって、メモリ部２５から識別情報を読み出して、故障情報を生成する。そして、第２のデータ制御部２３ｃによって、この生成された故障情報を第２のデータ送信部２３ｂ及び第２のアンテナ２２を介して、２５０ｋＨｚ以下の周波数帯の電磁波を利用して送信する。更に、第２のデータ制御部２３ｃは、メモリ部２５から故障発生時にそのことを示す画像を、表示部２４に表示する処理を行う。これにより、表示部２４には、前記した故障を示す画像が表示される。ここで、画像は、故障していることが目視で簡単に解るように、目立つ色（赤や黄色等）一色の画像等の目立つ画像を表示するようにする。
【００５９】
更に、データ通信装置３は、非接触識別タグ２からの状態要求コマンドに対する応答を、アンテナ３ｅ及びデータ受信部３ａを介して受信すると、これを制御部３ｃにおいて解析する。この解析結果により、データ通信装置３は、通信領域４内に存在する故障の発生した非接触識別タグ２の識別情報を知ることができる。ここで、この識別情報は、データ記憶部３ｄに記憶される。
【００６０】
例えば、故障のあった非接触識別タグ２を、非接触識別タグ２ｃ及び２ｆとすると、以降の通信においてデータ通信装置３は以下の処理を行うようになる。
データ通信装置３は、情報処理装置からの命令に応じた所定のコマンド信号を特定の非接触識別タグ２に送信するときに、まず、制御部３ｃにおいて、データ記憶部３ｄから、故障のあった非接触識別タグの識別情報を読み出す。ここでは、非接触識別タグ２ｃ及び２ｆの識別情報が読み出されることになる。次に、この識別情報と、特定の非接触識別タグ２（例えば、非接触識別タグ２Ａ）の識別情報とを比較して、故障のあった非接触識別タグの識別情報と異なる場合は、コマンド信号を特定の非接触識別タグ２に送信し、一方、故障のあった非接触識別タグ２の識別情報と一致した場合は、コマンド信号の送信を中止し、このことを情報処理装置に通知する。つまり、データ通信装置３は、故障のあった非接触識別タグとの通信を行わないように制御される。
【００６１】
故障のあった非接触識別タグ２は、その表示部２４に、故障であることを示す画像が表示されているので、システム管理者は、表示部を目視することで、これらの非接触識別タグを見つけ出し回収する。回収後は、データ通信装置３の電源を一度落としてから投入し直すことで、データ通信装置３における、上記故障した非接触識別タグ２の識別情報との比較処理も省くことが可能となる。
【００６２】
更に、図５に基づき、非接触識別タグ２の動作処理の流れを説明する。図５は、非接触識別タグ２の動作処理を示すフローチャートである。
図５に示すように、第１のデータ制御部２１ｃにおいて、まずステップＳ５００に移行し、第１の電力生成部２１ｄにより電力が供給されたか否かを判定し、電力が供給されたと判定された場合（Ｙｅｓ）はステップＳ５０２に移行し、そうでない場合（Ｎｏ）はステップＳ５１８に移行する。
【００６３】
ステップＳ５０２に移行した場合は、第１のデータ制御部２１ｃにおいて、第１のデータ受信部２１ａにおいて復調された受信データを解析してステップＳ５０４に移行する。
ステップＳ５０４では、第１のデータ制御部２１ｃにおいて、前記解析結果に基づき、受信データが応答要求コマンドであるか否かを判定し、応答要求コマンドである場合（Ｙｅｓ）はステップＳ５０６に移行し、そうでない場合（Ｎｏ）はステップＳ５１６に移行する。
【００６４】
ステップＳ５０６に移行した場合は、第１のデータ制御部２１ｃは、メモリ部２５から識別情報を読み出してステップＳ５０８に移行する。
ステップＳ５０８では、第１のデータ制御部２１ｃにおいて、前記読み出した識別情報を含む応答データを生成してステップＳ５１０に移行する。
ステップＳ５１０では、第１のデータ制御部２１ｃは、前記生成した応答データを、第１のアンテナ２０及び第１のデータ送信部２１ｂを介して、１３．５６ＭＨｚ帯の電磁波を利用して応答要求コマンド信号の送信元であるデータ通信装置３に送信してステップＳ５１２に移行する。
【００６５】
ステップＳ５１２では、第１のデータ制御部２１ｃにおいて、応答要求コマンド信号に対する応答データの送信処理が完了したか否かを判定し、完了したと判定された場合（Ｙｅｓ）はステップＳ５１４に移行し、そうでない場合（Ｎｏ）はステップＳ５００に移行する。
一方、ステップＳ５１４に移行した場合は、第１のデータ制御部２１ｃは、専用のレジスタに１を書込み（フラグセット）ステップＳ５００に移行する。
【００６６】
また、ステップＳ５０４において、受信データが応答要求コマンドではなくステップＳ５１６に移行した場合は、第１のデータ制御部２１ｃにおいて、コマンドに応じた処理を行いステップＳ５００に移行する。
また、ステップＳ５００において、第１の電力生成部２１ｄにより電力が供給されておらず、ステップＳ５１８に移行した場合は、第２のデータ制御部２３ｃにおいて、第２の電力生成部２３ｄにより電力が供給されたか否かを判定し、電力が供給されたと判定された場合（Ｙｅｓ）はステップＳ５２０に移行し、そうでない場合（Ｎｏ）は電力が供給されるまで待機する。
【００６７】
ステップＳ５２０に移行した場合は、第２のデータ制御部２３ｃにおいて、第１のデータ受信部２３ａにおいて復調された受信データを解析してステップＳ５２２に移行する。
ステップＳ５２２では、第２のデータ制御部２３ｃにおいて、前記解析結果に基づき、受信データが状態要求コマンドであるか否かを判定し、状態要求コマンドである場合（Ｙｅｓ）はステップＳ５２４に移行し、そうでない場合（Ｎｏ）はステップＳ５３８に移行する。
【００６８】
ステップＳ５２４に移行した場合は、第２のデータ制御部２３ｃにおいて、専用フラグがセットされているか否かを判定し、セットされていると判定された場合（Ｙｅｓ）はステップＳ５２６に移行し、そうでない場合（Ｎｏ）はステップＳ５２８に移行する。
ステップＳ５２６に移行した場合は、第２のデータ制御部２３ｃは、フラグをクリアしてステップＳ５００に移行する。
【００６９】
一方、ステップＳ５２８に移行した場合は、第２のデータ制御部２３ｃは、メモリ部２５から識別情報を読み出しステップＳ５３０に移行する。
ステップＳ５３０では、第２のデータ制御部２３ｃは、前記識別情報を含む故障情報を生成してステップＳ５３２に移行する。
ステップＳ５３２では、第２のデータ制御部２３ｃは、前記生成した故障情報を、第２のアンテナ２２及び第２のデータ送信部２３ｂを介して、２５０ｋＨｚ以下の周波数帯の電磁波を利用して状態要求コマンド信号の送信元であるデータ通信装置３に送信してステップＳ５３４に移行する。
【００７０】
ステップＳ５３４では、第２のデータ制御部２３ｃは、メモリ部２５から、故障したことを示す画像を読み出してステップＳ５３６に移行する。
ステップＳ５３６では、第２のデータ制御部２３ｃは、前記読み出した画像を表示部２４に表示してステップＳ５１８に移行する。
また、ステップＳ５２２において、受信データが状態応答コマンドでは無くステップＳ５３８に移行した場合は、第２のデータ制御部２３ｃにおいて、コマンドに応じた処理を行いステップＳ５００に移行する。ここで、本実施の形態においては、状態要求コマンド以外のコマンドは特に設定していない。
【００７１】
更に、図６に基づき、データ通信装置３における識別情報の取得処理の流れを説明する。図６は、データ通信装置３における識別情報の取得処理を示すフローチャートである。
図６に示すように、まずステップＳ６００に移行し、制御部２ｃの制御により、通信領域４内の非接触識別タグ２に対して、応答要求コマンド信号を、データ送信部３ｂ及びアンテナ３ｅを介して１３．５６ＭＨｚ帯の電磁波を利用して送信してステップＳ６０２に移行する。
【００７２】
ステップＳ６０２では、制御部２ｃにおいて、非接触識別タグ２からの応答要求コマンドに対する応答をアンテナ３ｅ及びデータ受信部３ａを介して受信したか否かを判定し、受信したと判定された場合（Ｙｅｓ）はステップＳ６０４に移行し、そうでない場合（Ｎｏ）はステップＳ６０６に移行する。
ステップＳ６０４に移行した場合は、制御部２ｃは、受信した応答から識別情報を抽出して、これをデータ記憶部３ｄに記憶してステップＳ６０６に移行する。
【００７３】
ステップＳ６０６では、制御部２ｃにおいて、応答要求コマンド信号を所定回数送信したか否かを判定し、所定回数送信したと判定された場合（Ｙｅｓ）はステップＳ６０８に移行し、そうでない場合（Ｎｏ）はステップＳ６００に移行する。
ステップＳ６０８に移行した場合は、応答要求コマンド信号の送信処理を完了すると、制御部３ｃによって、サブコマンドである状態要求コマンド信号を、通信領域４内の非接触識別タグ２に対して、データ送信部３ｂ及びアンテナ３ｅを介して２５０ｋＨｚ以下の周波数帯の電磁波を利用して送信してステップＳ６１０に移行する。
【００７４】
ステップＳ６１０では、制御部３ｃにおいて、非接触識別タグ２からの状態要求コマンドに対する応答を受信したか否かを判定し、受信したと判定された場合（Ｙｅｓ）はステップＳ６１２に移行し、そうでない場合（Ｎｏ）は処理を終了する。
更に、図７に基づき、データ通信装置３におけるデータ送信処理の流れを説明する。図７は、データ通信装置３におけるデータ送信処理を示すフローチャートである。
【００７５】
図７に示すように、まずステップＳ７００に移行し、制御部３ｃにおいて、通信領域４内に存在する非接触識別タグ２から識別情報の取得が完了したか否かを判定し、完了したと判定された場合（Ｙｅｓ）はステップＳ７０２に移行し、そうでない場合（Ｎｏ）は完了するまで待機する。
ステップＳ７０２に移行した場合は、制御部３ｃにおいて、情報処理装置からの命令に応じて特定の非接触識別タグ２に対してデータを送信するか否かを判定し、送信すると判定された場合（Ｙｅｓ）はステップＳ７０４に移行し、そうでない場合（Ｎｏ）は情報処理装置からの命令があるまで待機する。
【００７６】
ステップＳ７０４に移行した場合は、制御部３ｃにおいて、送信先の特定の非接触識別タグの識別情報と、データ記憶部３ｄに記憶された故障している非接触識別タグの識別情報とを比較してステップＳ７０６に移行する。
ステップＳ７０６では、制御部３ｃにおいて、前記比較結果に基づき特定の非接触識別タグ２は故障しているか否かを判定し、故障していると判定された場合（Ｙｅｓ）はステップＳ７０８に移行し、そうでない場合（Ｎｏ）はステップＳ７１０に移行する。
【００７７】
ステップＳ７０８に移行した場合は、制御部３ｃは、特定の非接触識別タグ２へのデータ送信処理を中止してステップＳ７０２に移行する。
一方、ステップＳ７１０に移行した場合は、制御部３ｃは、データ送信部３ｂ及びアンテナ３ｅを介して１３．５６ＭＨｚ帯の電磁波を利用して送信しステップＳ７１２に移行する。
【００７８】
ステップＳ７１２では、前記送信したデータに対する非接触識別タグ２からの応答を受信して通常の処理を行いステップＳ７００に移行する。
以上、非接触識別タグ２は、第１のアンテナ２０及び第１の制御ＩＣ２１と第２のアンテナ２２及び第２の制御ＩＣ２３との二つのアンテナ及びデータ通信制御を行うＩＣを有する構成となっており、且つ、第１のアンテナ２０及び第１の制御ＩＣ２１によるデータ通信に不具合が発生したときに、サブコマンドにより第２のアンテナ２２及び第２の制御ＩＣ２３を動作させ、第１のアンテナ２０及び第１の制御ＩＣ２１に故障等の不具合が発生したことを示す情報をデータ通信部３に送信するようにしたので、データ通信部３は、故障の発生した非接触識別タグ２の識別情報を取得することが可能である。
【００７９】
また、非接触識別タグ２は、故障が発生していることを表示部２４に表示することが可能であるので、故障が発生した非接触識別タグ２を目視によって容易に発見することが可能である。
また、データ通信装置３は、故障の発生した非接触識別タグ２の識別情報をデータ記憶部３ｄに記憶し、以降の特定の非接触識別タグ２との通信において、故障している非接触識別タグ２へのデータ通信を行わないようにしたので、不要な通信によるタイムロスを防ぐことが可能である。
【００８０】
ここで、図２及び図３に示す、表示部２４は、第３の発明に記載の表示部に対応し、図３に示す、第２のデータ制御部２３ｃによる表示部２４への画像の表示処理は、第３の発明に記載の表示手段による表示部への通信が不能になったことを示す情報の表示に対応し、図３に示す、第１のデータ受信部２１ａ、第１のデータ送信部２１ｂ及び第１のデータ制御部２１ｃは、第１の発明に記載の第１の通信制御手段に対応し、第２のデータ受信部２３ａ、第２のデータ送信部２３ｂ及び第２のデータ制御部２３ｃは、第１、第２及び第５の発明に記載の第２の通信制御手段に対応し、第１の電力生成部２１ｄは、第１の発明に記載の第１の駆動電力生成手段に対応し、第２の電力生成部２３ｄは、第１及び第４の発明に記載の第２の駆動電力生成手段に対応し、図４に示す、データ記憶部３ｄは、第６及び第１２の発明に記載の識別情報記憶手段に対応し、制御部３ｃによってデータ送信部３ｂ及びアンテナ３ｅを介して行われる搬送波によるデータの送信処理は、第６及び第１２の発明に記載の電力供給用電磁波送信手段に対応し、制御部３ｃによる故障情報の受信による応答内容の判定処理は、第７及び第１３の発明に記載の応答判定手段に対応する。
【００８１】
なお、上記実施の形態においては、第１及び第２のアンテナ２０及び２２を金属インクを用いたインクジェット方式により形成しているが、これに限らず、銅、アルミなどのスクリーン印刷による形成方法など他の形成方法を用いて形成しても良い。
【図面の簡単な説明】
【図１】本発明に係る非接触データ通信システムの構成を示す図である。
【図２】非接触識別タグの回路構成図である。
【図３】非接触識別タグの詳細構成を示すブロック図である。
【図４】データ通信装置３の構成を示すブロック図である。
【図５】非接触識別タグ２の動作処理を示すフローチャートである。
【図６】データ通信装置３における識別情報の取得処理を示すフローチャートである。
【図７】データ通信装置３におけるデータ送信処理を示すフローチャートである。
【符号の説明】
１…非接触データ通信システム、２…非接触識別タグ、３…データ通信装置、３ａ…データ受信部、３ｂ…データ送信部、３ｃ…制御部、３ｄ…データ記憶部、３ｅ…アンテナ、４…通信領域、２０…第１のアンテナ、２１…第１の制御ＩＣ、２１ａ…第１のデータ受信部、２１ｂ…第１のデータ送信部、２１ｃ…第１のデータ制御部、２１ｄ…第１の電力生成部、２２…第２のアンテナ、２３…第２の制御ＩＣ、部２３ａ…第２のデータ受信部、２３ｂ…第２のデータ送信部、２３ｃ…第２のデータ制御部、２３ｄ…第２の電力生成部、２４…表示部、２５…メモリ
【図１】
2004297345.tif 000003
【図２】
2004297345.tif 000004
【図３】
2004297345.tif 000005
【図４】
2004297345.tif 000006
【図５】
2004297345.tif 000007
【図６】
2004297345.tif 000008
【図７】
2004297345.tif 000009